(57)【特許請求の範囲】
【請求項１】
搬送路を開頁状態で搬送された冊子状媒体を閉じる冊子状媒体の頁閉じ方法であって、
搬送路の上方に揺動可能に配置される上部ガイドと前記搬送路との間に閉じ操作対象頁を被重ね頁側に凸な湾曲姿勢で収容する頁湾曲工程と、
前記頁湾曲工程に続き、前記冊子状媒体を前記閉じ操作対象頁側を先頭にして移動させ、前記湾曲姿勢の閉じ操作対象頁が前記被重ね頁上に当接して重ねられるまで搬送する送り工程とを有し、
前記頁湾曲工程は、閉じ操作対象頁の綴じ部側を拘束して自由端縁を上部ガイド側に持ち上げ、該対象頁を湾曲させる予備湾曲付与工程と、
予備湾曲付与工程後に綴じ部を前記自由端縁側に送って湾曲曲率を小さくする湾曲付与工程と、
湾曲付与工程後に前記自由端縁を上部ガイド側に持ち上げて湾曲部を湾曲姿勢のまま搬送路と上部ガイドとの間に押し込む湾曲部押し込み工程と
を有する冊子状媒体の頁閉じ方法。
【請求項２】
開頁状態の冊子状媒体を閉じ操作対象頁側に配置される頁めくりローラにより前記閉じ操作対象頁を被重ね頁側に凸な湾曲姿勢に湾曲させた後、前記閉じ操作対象頁と反対の被重ね頁側に配置された搬送ローラ対により冊子状媒体を閉じ操作対象頁側に搬送して閉じ操作対象頁を閉じる冊子状媒体の頁閉じ装置であって、
前記冊子状媒体の搬送路上方には揺動自在な上部ガイドが配置されるとともに、
前記搬送ローラ対は、前記頁めくりローラによる閉じ操作対象頁の湾曲操作途中において冊子状媒体を閉じ操作対象頁側に搬送し、該冊子状媒体の前記閉じ操作対象頁を前記搬送路と前記上部ガイドとの間で湾曲させた後再び前記閉じ操作対象頁側に搬送する
冊子状媒体の頁閉じ装置。
【発明の詳細な説明】
【０００１】
【発明の属する技術分野】
本発明は冊子状媒体の頁閉じ方法およびこれに使用する頁閉じ装置に関するものである。
【０００２】
【従来の技術】
従来、銀行の預金通帳等の冊子状媒体の頁閉じ操作は図９に示す手順により行われる。すなわち、まず、開頁状態で搬送路を搬送されてきた冊子状媒体１の閉じ操作対象頁１ａを図９（ａ）に示すように、綴じ部１ｃ側において搬送ローラ対６により捕捉し、次いで、搬送路上にプレッシャ３を図９（ａ）において矢印Ａ方向に突出させて冊子状媒体１の閉じ操作対象頁１ａを頁めくりローラ５に圧接させる。この状態で頁めくりローラ５を閉じ方向、すなわち、反時計回りに回転させると、図９（ｂ）で破線で示すように、閉じ操作対象頁１ａが頁めくりローラ５上に跳ね上げられる。この後、搬送ローラ対６を回転させて冊子状媒体１を頁めくりローラ５側にフィードすると、図９（ｂ）に示すように、閉じ操作対象頁１ａは頁めくりローラ５に当たって閉じ側に押しつけられて反対側に倒れ、頁閉じ動作が完了する。
【０００３】
【発明が解決しようとする課題】
しかし、上述した従来例には以下の問題がある。すなわち、頁めくりローラ５上に跳ね上げられた冊子状媒体１を搬送ローラ対６によって頁めくりローラ５側にフィードすると、図９（ｂ）に示すように、綴じ部１ｃが頁めくりローラ５と、該頁めくりローラ５に対向するテンションローラ４に受け渡される寸前においては、閉じ操作対象頁１ａが搬送路に対して直立する状態となる。この状態から冊子状媒体１を上記頁めくりローラ５とテンションローラ４により構成される搬送系に受け渡すためには、閉じ操作対象頁１ａに開頁方向への復元力が生じていることから大きなフィード力を要し、ジャムを招来させやすい。とりわけ、頁めくりローラ５との摩擦により綴じ部１ｃはわずかに斜め上方方向に移動するために頁めくりローラ５に衝接することが多く、この場合の搬送系への過大な負荷はジャムの原因となりやすい。
【０００４】
さらに、頁閉じ操作中に閉じ操作対象頁１ａは搬送路上を１８０°回転するために、該搬送路上に閉じ操作対象頁１ａの移動スペースを設定する必要があり、無駄なスペースが多くなる。狭いスペースで頁閉じ操作を行うと、頁閉じ操作対象頁１ａが不特定方向に湾曲して過大な負荷を生じ、ジャムの原因となる。
【０００５】
本発明は以上の欠点を解消すべくなされたものであって、頁閉じ操作の信頼性が高く、かつ、スペースの有効活用が可能な冊子状媒体の頁閉じ方法およびこれに使用する頁閉じ装置の提供を目的とする。
【０００６】
【課題を解決するための手段】
本発明によれば上記目的は、
搬送路を開頁状態で搬送された冊子状媒体１を閉じる冊子状媒体の頁閉じ方法であって、
搬送路の上方に揺動可能に配置される上部ガイド２と前記搬送路との間に閉じ操作対象頁１ａを被重ね頁１ｂ側に凸な湾曲姿勢で収容する頁湾曲工程と、
前記頁湾曲工程に続き、前記冊子状媒体１を前記閉じ操作対象頁１ａ側を先頭にして移動させ、前記湾曲姿勢の閉じ操作対象頁１ａが前記被重ね頁１ｂ上に当接して重ねられるまで搬送する送り工程とを有し、
前記頁湾曲工程は、閉じ操作対象頁１ａの綴じ部１ｃ側を拘束して自由端縁１ｄを上部ガイド２側に持ち上げ、該対象頁１ａを湾曲させる予備湾曲付与工程と、
予備湾曲付与工程後に綴じ部１ｃを前記自由端縁１ｄ側に送って湾曲曲率を小さくする湾曲付与工程と、
湾曲付与工程後に前記自由端縁１ｄを上部ガイド２側に持ち上げて湾曲部を湾曲姿勢のまま搬送路と上部ガイド２との間に押し込む湾曲部押し込み工程と
を有する冊子状媒体の頁閉じ方法を提供することにより達成される。
【０００７】
本発明において搬送路を開頁状態で搬送されてきた預金通帳等の冊子状媒体１は頁湾曲工程と、送り工程とを経て頁閉じ操作が行われる。湾曲付与工程において、冊子状媒体１の閉じ操作対象頁１ａは図７に示すように、搬送路の上方に揺動可能に配置される上部ガイド２との間で、被重ね頁１ｂ側に凸な湾曲姿勢で収容される。
【０００８】
頁湾曲工程は、閉じ操作対象頁１ａの綴じ部１ｃ側を拘束して自由端縁１ｄを上部ガイド２側に持ち上げ、該閉じ操作対象頁１ａを湾曲させる予備湾曲付与工程と、
予備湾曲付与工程後に綴じ部１ｃを前記自由端縁１ｄ側に送って湾曲曲率を小さくする湾曲付与工程と、
湾曲付与工程後に前記自由端縁１ｄを上部ガイド２側に持ち上げて湾曲部を搬送路と上部ガイド２との間に押し込む湾曲部押し込み工程ととから構成することが可能であり、図７に示すように、湾曲付与工程により湾曲曲率が小さくなった閉じ操作対象頁１ａは剛性が高まっているために、開放端側を上方に押し出すことにより、閉じ操作対象頁１ａは確実に上部ガイド２との間に所定姿勢で収容される。
【０００９】
この状態から送り工程を実施して冊子状媒体１を図７において矢印７Ａ方向、すなわち、頁めくりローラ５側に搬送すると、閉じ操作対象頁１ａは綴じ部１ｃ側から順次被重ね頁１ｂ上に重ねられながら頁めくりローラ５側に送られる。頁めくりローラ５への受け渡し時において閉じ操作対象頁１ａは綴じ部１ｃ位置において完全に被重ね頁１ｂに重なっており、しかも綴じ部１ｃには図７において矢印７Ｂで示すように、斜め下方への力が加わっているために、綴じ部１ｃが頁めくりローラ５に衝接することなく、円滑に受け渡しが行われる。この結果、フィード系に異常な負荷が加わることがないために、ジャム等の発生が完全に防止される。
【００１０】
また、閉じ操作中、閉じ操作対象頁１ａは上部ガイド２との間に湾曲された状態で収容されているために、従来例に比して上方へのスペースが少なくてすむので、スペースの有効活用ができ、装置の小型化を達成できる。
【００１１】
上述した方法は、
開頁状態の冊子状媒体１を閉じ操作対象頁１ａ側に配置される頁めくりローラ５により前記閉じ操作対象頁１ａを被重ね頁１ｂ側に凸な湾曲姿勢に湾曲させた後、前記閉じ操作対象頁１ａと反対の被重ね頁１ｂ側に配置された搬送ローラ対６により冊子状媒体１を閉じ操作対象頁１ａ側に搬送して閉じ操作対象頁１ａを閉じる冊子状媒体の頁閉じ装置であって、
前記冊子状媒体１の搬送路上方には揺動自在な上部ガイド２が配置されるとともに、
前記搬送ローラ対６は、前記頁めくりローラ５による閉じ操作対象頁１ａの湾曲操作途中において冊子状媒体１を閉じ操作対象頁１ａ側に搬送し、該冊子状媒体１の前記閉じ操作対象頁１ａを前記搬送路と前記上部ガイド２との間で湾曲させた後再び前記閉じ操作対象頁１ａ側に搬送する
冊子状媒体の頁閉じ装置により実施することができる。
【００１２】
【発明の実施の形態】
図２、３に本発明の実施の形態に係る頁閉じ装置を示す。頁閉じ装置は、上下一対の搬送ローラ６ａ、６ｂからなる搬送ローラ対６と、テンションローラ４、および頁めくりローラ５からなる頁めくりローラ対７とを有する。なお、この実施の形態は、閉じ操作対象頁１ａが左右いずれに位置しても頁閉じ動作を行うことができるように各部品は中心から左右対称に配置されているが、説明の便宜上、図示の状態で閉じ操作対象頁１ａに直接接触する側を頁めくりローラ対７、反対側を搬送ローラ対６として説明する。
【００１３】
上搬送ローラ６ａ、および頁めくりローラ５には後述するギア列を介して駆動力が伝達され、下搬送ローラ６ｂとテンションローラ４は空転自在で上記駆動側に対する従動ローラとして構成される。テンションローラ４の軸４ａは支軸８ａ周りに回転可能なローラホルダ８に支持されており、ホルダカム９を回転駆動することによりローラホルダ８の作動レバー８ｂを押圧し、図４（ａ）に示すように、テンションローラ４を搬送路から退避させることができる。
【００１４】
これら搬送ローラ対６と頁めくりローラ対７との中間位置には、プレッシャ３と上部ガイド２、およびセンサ１０が配置される。プレッシャ３は搬送路面を構成し、カバー支軸３ｃ周りに空転自在なプレッシャカバー３ａと、プレッシャレバー３ｂとを有し、レバー駆動モータ１１によりプレッシャレバー３ｂを回転させることにより、図５（ａ）に示すように、プレッシャカバー３ａを搬送路上に飛び出させることができる。上部ガイド２は搬送路を挟んでプレッシャ３に正対して配置され、支軸２ａ周りに空転自在なリンク２ｂと、リンク２ｂに対して支軸周りに空転自在なそり状のガイド片２ｃとを有する。リンク２ｂにはセンサ１０の光路を遮る遮光プレート２ｄが設けられる。
【００１５】
上記搬送ローラ対６、および頁めくりローラ対７の駆動部を図３に示す。上述したように位置可逆とするために、駆動部は左右対称に形成され、搬送系駆動モータ１２の動力はタイミングベルト等の伝達手段１３を介してメインギア１４に伝達される。メインギア１４に伝達された動力はアイドルギア１５ａ、１５ｂを介して終端ギア１６ａ、１６ｂに伝達され、頁めくりローラ５、および上搬送ローラ６ａを駆動する。また、上記メインギア１４の直下にはロック駆動カム１７が配置され、ロック駆動カム１７のカム面には支軸１８ｃ周りに回転自在なロックレバー１８のカム摺接部１８ａが圧接する。カム摺接部１８ａのカム面への追従性を確保するために、ロックレバー１８には図示しない付勢手段が装着される。ロックレバー１８は一端に上記終端ギア１６ａ、１６ｂに噛み合い可能な歯形を備えたギア部１８ｂを有し、カム面により支軸１８ｃ周りに回転したときには、図５（ｂ）に示すように、ギア部１８ｂが終端ギア１６ｂに噛合して上搬送ローラ６ａの回転を禁止する。
【００１６】
上記頁閉じ装置の動作を説明する。図１に示すように、頁閉じ操作は頁湾曲工程に次いで送り工程を実施することにより行われ、頁湾曲工程は、予備湾曲付与工程、湾曲付与工程、および湾曲部押し込み工程から構成される。まず、冊子状媒体１が開頁状態で搬送され、搬送ローラ対６、および頁めくりローラ対７の双方が閉じ操作対象頁１ａ上に位置すると搬送動作が停止して頁閉じ操作が開始される。図４は予備湾曲付与工程の初期状態を示し、搬送動作の停止後、ホルダカム９が駆動されてテンションローラ４が搬送路から下方に退避する。
【００１７】
この後、プレッシャレバー３ｂを回転させてプレッシャカバー３ａを搬送路上に所定寸法飛び出させた後、頁めくりローラ５をめくり方向、すなわち、図５において反時計回りに回転させる。この状態で下搬送ローラ６ｂ側のアイドルギア１５ｂは終端ギア１６ｂとの噛合を解除して該終端ギア１６ｂへの動力伝達を切断するとともに、ロックレバー１８は終端ギア１６ｂに噛み合っており、冊子状媒体１は搬送路上に捕捉されて移動が禁止される。一方、プレッシャレバー３ｂの上昇により閉じ操作対象頁１ａと頁めくりローラ５との接触圧が所定値まで高まっているために、頁めくりローラ５を回転させると、図５（ａ）に示すように、閉じ操作対象頁１ａは曲率半径を縮小させながら自由端縁１ｄが頁めくりローラ５に沿って上方に移動する。閉じ操作対象頁１ａの上方への移動に追随して上部ガイド２も図５（ａ）において時計回りに回転して遮光プレート２ｄがセンサ１０の光路を開いて予備湾曲付与工程の終了を検出する。遮光プレート２ｄによる予備湾曲付与工程終了の検出タイミングは、頁めくりローラ５により閉じ操作対象頁１ａが図５（ａ）において鎖線で示すように、頁めくりローラ５上に載ってしまう手前、すなわち、頁跳ね上げ動作の完了前の状態に合わせられる。
【００１８】
図６に湾曲付与工程を示す。湾曲付与工程は、センサ１０による前工程の終了検知により開始され、ロックレバー１８の解除、プレッシャ３の降下の後、搬送ローラ対６を駆動して綴じ部１ｃが頁めくりローラ５の近傍に達するまで冊子状媒体１を駆動して行われる。冊子状媒体１の搬送時には、頁めくりローラ５は図６（ａ）において矢印方向、すなわち、閉じ操作対象頁１ａの自由端縁１ｄが下方に移動する方向に駆動され、冊子状媒体１の反力により図５（ａ）において鎖線で示すような跳ね上がりの発生を防止する。冊子状媒体１の頁めくりローラ５側の搬送、および頁めくりローラ５の上述した方向への回転により、冊子状媒体１の閉じ操作対象頁１ａは漸次曲率を小さくしていき、所定の曲率になったときに頁めくりローラ５、および搬送ローラ対６の駆動を停止する。
【００１９】
湾曲付与工程が終了すると、図７に示すように、ロックレバー１８による下搬送ローラ６ｂの拘束を行って湾曲部押し込み工程が開始される。湾曲部押し込み工程は閉じ操作対象頁１ａの湾曲による剛性の向上を利用して湾曲部を搬送路と上部ガイド２との間に押し込む工程であり、以下のように説明できる。すなわち、閉じ操作対象頁１ａは前段の湾曲付与工程において十分小さな曲率になるまで撓んで見かけの剛性が向上しており、この状態で頁めくりローラ５を上記方向に回転させると、自由端縁１ｄのみが頁めくりローラ５に沿って移動して頁めくりローラ５を越えることができない。この結果、頁めくりローラ５により自由端縁１ｄに与えられたフィード力により曲率部は搬送ローラ側に押されることとなり、本工程が終了すると、図７（ａ）に示すように、閉じ操作対象頁１ａは被重ね頁１ｂ側に凸な湾曲姿勢で上部ガイド２に圧接する。
【００２０】
この後、図８に示すように、ロックレバー１８による下搬送ローラ６ｂのロックを解除するとともに、終端ギア１６ｂとアイドルギア１５ｂを噛合させて頁めくりローラ対７、および搬送ローラ対６を駆動して送り工程を実施すると、冊子状媒体１は綴じ側を先頭にして移動し、閉じ操作対象頁１ａは被重ね頁１ｂ上に重ねられて頁閉じ動作が終了する。送り工程において、冊子状媒体１の綴じ部１ｃは、閉じ操作対象頁１ａが被重ね頁１ｂ上に重なった状態で送られるために、頁めくりローラ対７への過大な負荷の発生が防止できる。
【００２１】
【発明の効果】
以上の説明から明らかなように、本発明によれば、頁閉じ操作の信頼性を高めることができる上に、スペースの有効活用も図ることができる。
【図面の簡単な説明】
【図１】本発明のフローチャート図である。
【図２】頁閉じ装置を示す図である。
【図３】頁閉じ装置の駆動部を示す図である。
【図４】予備湾曲付与工程の初期を示す図で、（ａ）は搬送系を示す図、（ｂ）は駆動部を示す図である。
【図５】予備湾曲付与工程の完了を示す図で、（ａ）は搬送系を示す図、（ｂ）は駆動部を示す図である。
【図６】湾曲付与工程の初期を示す図で、（ａ）は搬送系を示す図、（ｂ）は駆動部を示す図である。
【図７】湾曲押し込み工程の初期を示す図で、（ａ）は搬送系を示す図、（ｂ）は駆動部を示す図である。
【図８】送り工程の初期を示す図で、（ａ）は搬送系を示す図、（ｂ）は駆動部を示す図である。
【図９】従来例を示す図である。
【符号の説明】
１        冊子状媒体
１ａ      閉じ操作対象頁
１ｂ      被重ね頁
１ｃ      綴じ部
１ｄ      自由端縁
２        上部ガイド
５        頁めくりローラ
６        搬送ローラ対
【図１】
0003810579.tif 000002
【図２】
0003810579.tif 000003
【図３】
0003810579.tif 000004
【図４】
0003810579.tif 000005
【図５】
0003810579.tif 000006
【図６】
0003810579.tif 000007
【図７】
0003810579.tif 000008
【図８】
0003810579.tif 000009
【図９】
0003810579.tif 000010